(57)【特許請求の範囲】
【請求項１】
第１平面を有し、ラック軸の一部を収容するハウジングと、
前記第１平面と対向する第２平面を有し、回転軸を支持するブラケットを有する電動モータと、
前記第１平面と前記第２平面とが合わせられた状態で前記ハウジングと前記ブラケットとを締め付ける締付部材と、
前記締付部材よりも前記回転軸側で前記ハウジングと前記ブラケットとの間をシールするシール部材と、
を備え、
前記第１平面又は前記第２平面の少なくともいずれかの平面には、前記締付部材と前記シール部材との間に前記平面から凹んだ凹部が形成され、
前記ブラケットは、前記シール部材が装着される溝が形成された外周面を有し、
前記ハウジングは、前記外周面と対向する内周面を有し、
前記第１平面は、前記内周面を内周に有する第１円筒状部における前記回転軸の軸方向の端部に形成された第１円環状面と、前記第１円筒状部よりも前記締付部材側に設けられた第２円筒状部における前記軸方向の端部に形成された第２円環状面と、を有し、前記第１円環状面と前記第２円環状面との間に前記凹部が形成され、
前記ハウジングは、前記凹部に、前記第１円筒状部の外周と前記第２円筒状部の内周とを接続するリブを有する
ステアリング装置。
【請求項２】
前記第１平面は、前記締付部材の周囲に形成された円環状の第３円環状面と、前記第２円環状面と前記第３円環状面とを接続する第１接続面とを有する
請求項１に記載のステアリング装置。
【請求項３】
前記第１平面は、前記第１円環状面と前記第２円環状面とを接続する第２接続面を有し、前記第１接続面と前記第２接続面とは、前記回転軸の回転方向にずれている
請求項２に記載のステアリング装置。
【請求項４】
第１平面と内周面とを有し、ラック軸の一部を収容するハウジングと、
前記第１平面と対向する第２平面と、前記内周面と対向する外周面とを有し、回転軸を支持するブラケットを有する電動モータと、
前記第１平面と前記第２平面とが合わせられた状態で前記ハウジングと前記ブラケットとを締め付ける締付部材と、
を備え、
前記第１平面と前記第２平面にて構成される前記締付部材による締付部位と、前記ハウジングの前記内周面を内周に有する第１円筒状部との間には、前記第１平面と前記第２平面との間の隙間よりも大きな隙間が形成され、
前記第１円筒状部における前記回転軸の軸方向の端部は、前記第１平面よりも前記第２平面側に突出している
ステアリング装置。
【請求項５】
前記第１平面は、前記第１円筒状部よりも前記締付部材側に設けられた第２円筒状部における前記回転軸の軸方向の端部に形成された第２円環状面を有し、
前記ハウジングは、前記第１円筒状部と前記第２円筒状部との間に前記第１平面よりも前記第２平面とは反対側に凹んだ凹部を有する
請求項４に記載のステアリング装置。
【請求項６】
前記ハウジングは、前記凹部に、前記第１円筒状部の外周と前記第２円筒状部の内周とを接続するリブを有する
請求項５に記載のステアリング装置。
【請求項７】
前記第１平面は、前記締付部材の周囲に形成された円環状の第３円環状面と、前記第２円環状面と前記第３円環状面とを接続する第１接続面とを有する
請求項５又は６に記載のステアリング装置。
【請求項８】
前記第１平面は、前記第２円環状面と前記第１円筒状部とを接続する第２接続面を有し、前記第１接続面と前記第２接続面とは、前記回転軸の回転方向にずれている
請求項７に記載のステアリング装置。
【発明の詳細な説明】
【技術分野】
【０００１】
本発明は、ステアリング装置に関する。
【背景技術】
【０００２】
特許文献１に記載された電動パワーステアリング装置は、コイルが巻装された円筒状のステータと、該ステータと対向する出力軸を備えたロータと、前記ステータを内装する有底円筒状のケースと、該ケースの底板部に固定されたフランジとを有し、前記フランジの前記ケースの底板部に対向する位置に前記ロータの回転角度を検出する角度検出器を構成するステータを固定し、前記ケースの底板部と前記フランジとを当該底板部内に配設した締結具によって締結したブラシレスモータを備えている。
【先行技術文献】
【特許文献】
【０００３】
【特許文献１】特開２００９−２１３１９７号公報
【発明の概要】
【発明が解決しようとする課題】
【０００４】
電動モータと、この電動モータが取り付けられるハウジングとの間から水が浸入したり、例えば塩水噴霧後に生成した腐食生成物が電動モータとハウジングとをシールする部位に到達したりすると、ハウジング内に設けられた減速機が錆びたり、電動モータ等の電気部品に電気的な不具合が生じたりするおそれがある。それゆえ、電動モータとハウジングとの間からの水の浸入や腐食生成物の進行を抑制することが望ましい。
本発明は、電動モータとハウジングとの間からの水の浸入や腐食生成物の進行を抑制することができるステアリング装置を提供することを目的とする。
【課題を解決するための手段】
【０００５】
かかる目的のもと完成させた本発明は、第１平面を有し、ラック軸の一部を収容するハウジングと、前記第１平面と対向する第２平面を有し、回転軸を支持するブラケットを有する電動モータと、前記第１平面と前記第２平面とが合わせられた状態で前記ハウジングと前記ブラケットとを締め付ける締付部材と、前記締付部材よりも前記回転軸側で前記ハウジングと前記ブラケットとの間をシールするシール部材と、を備え、前記第１平面又は前記第２平面の少なくともいずれかの平面には、前記締付部材と前記シール部材との間に前記平面から凹んだ凹部が形成され、前記ブラケットは、前記シール部材が装着される溝が形成された外周面を有し、前記ハウジングは、前記外周面と対向する内周面を有し、前記第１平面は、前記内周面を内周に有する第１円筒状部における前記回転軸の軸方向の端部に形成された第１円環状面と、前記第１円筒状部よりも前記締付部材側に設けられた第２円筒状部における前記軸方向の端部に形成された第２円環状面と、を有し、前記第１円環状面と前記第２円環状面との間に前記凹部が形成され、前記ハウジングは、前記凹部に、前記第１円筒状部の外周と前記第２円筒状部の内周とを接続するリブを有するステアリング装置である。
【発明の効果】
【０００６】
本発明によれば、電動モータとハウジングとの間からの水の浸入や腐食生成物の進行を抑制することができる。
【図面の簡単な説明】
【０００７】
【図１】第１の実施形態に係る電動パワーステアリング装置の全体構成図である。
【図２】ウォームの回転軸心における断面図である。
【図３】図２のIII部の拡大図である。
【図４】第１の実施形態に係る第２ハウジングの支持部の斜視図である。
【図５】第１の実施形態に係るハウジング側接触面を軸方向に見た図である。
【図６】比較例に係るハウジング側接触面を軸方向に見た図である。
【図７】第２の実施形態に係るハウジング側接触面を軸方向に見た図である。
【図８】第３の実施形態に係る第２ハウジングの断面図である。
【図９】第４の実施形態に係る第２ハウジングの断面図である。
【発明を実施するための形態】
【０００８】
以下、添付図面を参照して、本発明の実施の形態について詳細に説明する。
＜第１の実施形態＞
図１は、第１の実施形態に係る電動パワーステアリング装置１の全体構成図である。
図２は、ウォームの回転軸心における断面図である。
図３は、図２のIII部の拡大図である。
図４は、第１の実施形態に係る第２ハウジング３２の支持部１００の斜視図である。
図５は、第１の実施形態に係るハウジング側接触面１５０を軸方向に見た図である。
【０００９】
第１の実施形態に係る電動パワーステアリング装置（以下、「ステアリング装置」と称する場合もある。）１は、図１に示すように、車両の進行方向を任意に変えるためのかじ取り装置である。ステアリング装置１は、いわゆるダブルピニオン型のパワーステアリング装置である。
【００１０】
ステアリング装置１は、転動輪としての左右の車輪（不図示）それぞれにナックルアーム（不図示）を介して連結されたタイロッド（不図示）と、タイロッドに連結されたラック軸３とを備えている。また、ステアリング装置１は、車両に設けられたステアリングホイール（不図示）からの操舵力をラック軸３に伝達する伝達機構部１０を備えている。また、ステアリング装置１は、電動モータ５０を有し、電動モータ５０の駆動力を操舵補助力としてラック軸３に伝達してラック軸３の移動をアシストするアシスト部２０を備えている。
【００１１】
また、ステアリング装置１は、ラック軸３の外周面の一部の周囲を覆い、ラック軸３を軸方向に移動可能に支持するとともに、電動モータ５０を支持するハウジング３０を備えている。ハウジング３０は、ラック軸３の一部を収容する第１ハウジング３１と、後述する減速部６０の周囲を覆うとともに、電動モータ５０を支持する支持部１００が設けられた第２ハウジング３２と、第２ハウジング３２の開口部を覆うカバー３３とを有している。
【００１２】
伝達機構部１０は、ラック軸３に形成されたラックとともにラック・アンド・ピニオンを構成するピニオンが形成されたピニオン軸（不図示）と、ステアリングホイール（不図示）からの操舵力が入力される入力軸１２とを有している。また、伝達機構部１０は、ピニオン軸と入力軸１２との相対的な回転角度に基づいてステアリングホイールの操舵トルクを検出するトルクセンサ（不図示）を有している。
【００１３】
アシスト部２０は、ラック軸３に形成されたラックとともにラック・アンド・ピニオンを構成するピニオンが形成されたピニオン軸２１を有している。また、アシスト部２０は、電動モータ５０と、電動モータ５０の回転速度を減速する減速部６０と、電動モータ５０の回転駆動力を減速部６０に伝達する軸継手７０とを備えている。
【００１４】
減速部６０は、ウォームギヤを構成する、ウォームホイール６１と、ねじ状の歯車である円筒ウォームであるウォーム６２とを備えている。ウォームホイール６１は、ピニオン軸２１に保持されている。
【００１５】
軸継手７０は、電動モータ５０の出力軸５１に保持されるモータ側部材７１と、減速部６０のウォーム６２に保持されるウォーム側部材７２と、モータ側部材７１とウォーム側部材７２との間に介在する弾性部材７３とを備えている。
【００１６】
モータ側部材７１は、金属にて成形されており、電動モータ５０の出力軸５１の先端部が嵌め込まれるモータ側部材嵌合部７１１と、モータ側部材嵌合部７１１の周囲に設けられ、ウォーム側部材７２の方へ突出したモータ側突出部７１２とを有している。モータ側突出部７１２は、回転方向に等間隔に４箇所形成されており、出力軸５１の軸方向が柱方向となる三角柱状である。
【００１７】
ウォーム側部材７２は、金属にて成形されており、減速部６０のウォーム６２の先端部が嵌め込まれるウォーム側部材嵌合部７２１と、ウォーム側部材嵌合部７２１の周囲に設けられ、モータ側部材７１の方へ突出したウォーム側突出部７２２とを有している。ウォーム側突出部７２２は、モータ側突出部７１２と同様に、回転方向に等間隔に４箇所形成されており、ウォーム６２の軸方向が柱方向となる三角柱状である（図３参照）。
【００１８】
弾性部材７３は、エチレンプロピレンゴム等のゴムにて成形されており、円柱状の部位の外周面から半径方向に放射状に突出した８つの半径方向突出部を有している（図３参照）。
【００１９】
（電動モータ５０と第２ハウジング３２の支持部１００について）
電動モータ５０は、周知のブラシレスモータであり、図２に示すように、出力軸５１に装着された磁石５２と、鉄心５３と、巻線５４と、磁石５２、鉄心５３及び巻線５４を収容するフレーム５５と、を有している。また、電動モータ５０は、フレーム５５を保持するブラケット５６を有している。フレーム５５及びブラケット５６は、それぞれ、出力軸５１を回転可能に支持する、軸受５７、軸受５８を有している。
【００２０】
ブラケット５６における軸方向の一方の端部には、第２ハウジング３２の支持部１００に形成された後述するハウジング側接触面１５０と合わせるための合わせ面であるブラケット側接触面５６１が形成されている。また、ブラケット５６における軸方向の他方の端部には、フレーム５５が取り付けられる取付面５６２が形成されている。また、ブラケット５６には、電動モータ５０を第２ハウジング３２の支持部１００に取り付けるためのボルト１５５を通す貫通孔５６３と、ブラケット側接触面５６１よりも軸方向に第２ハウジング３２の支持部１００側に突出するとともに、支持部１００に挿入される挿入部５６４とを有している。
挿入部５６４は、軸方向に平行な外周面５６５が形成されている。外周面５６５には、全周に亘って外周面５６５から凹んだ溝５６６が形成されている。溝５６６には、Ｏリング５６７が嵌め込まれている。
【００２１】
支持部１００は、電動モータ５０のブラケット５６の挿入部５６４が挿入される円筒状の第１円筒状部１１０と、第１円筒状部１１０よりも半径方向の外側に設けられた円筒状の第２円筒状部１２０とを有している。第１円筒状部１１０及び第２円筒状部１２０は、円筒の中心線がウォーム６２の回転軸心と同一となるように構成されている。また、支持部１００は、内側に雌ネジ１３５が形成された円筒状のボス１３０を、第２円筒状部１２０よりも半径方向の外側に２つ有している。また、支持部１００は、ボス１３０それぞれと第２円筒状部１２０とを接続する２つの接続部１４０を有している。
【００２２】
第１円筒状部１１０における軸方向の先端部には、軸方向に直交する平面である第１円環状面１１１が形成されている。
第２円筒状部１２０における軸方向の先端部には、軸方向に直交する平面である第２円環状面１２１が形成されている。
ボス１３０における軸方向の先端部には、軸方向に直交する平面である第３円環状面１３１が形成されている。
接続部１４０における軸方向の先端部には、軸方向に直交する平面である接続面１４１が形成されている。接続面１４１は、雌ネジ１３５の中心と、ウォーム６２の回転軸心とを結ぶ直線上に設けられている。
【００２３】
第１の実施形態に係る支持部１００においては、第１円環状面１１１、第２円環状面１２１、第３円環状面１３１及び接続面１４１は、軸方向の位置が同一となるように機械加工が施されている。以下では、これら第１円環状面１１１、第２円環状面１２１、第３円環状面１３１及び接続面１４１を、ブラケット５６のブラケット側接触面５６１と接触させる「ハウジング側接触面１５０」と称する場合がある。図５の網掛け部分が、ハウジング側接触面１５０である。
電動モータ５０は、ブラケット５６のブラケット側接触面５６１が第２ハウジング３２の支持部１００のハウジング側接触面１５０に接触させられた状態で、貫通孔５６３を通されたボルト１５５がボス１３０に形成された雌ネジ１３５に締め付けられることで第２ハウジング３２に取り付けられる。
【００２４】
ハウジング側接触面１５０において、第３円環状面１３１と第２円環状面１２１とは、接続面１４１を介して接続されているので、第３円環状面１３１、接続面１４１及び第２円環状面１２１は、相互の境界がない同一平面である。
他方、第１円環状面１１１と第２円環状面１２１とは、軸方向の位置が同一ではあるが、第１円環状面１１１と第２円環状面１２１とは接続されておらず、第１円環状面１１１と第２円環状面１２１との間にはこれらの面から凹んだ凹部１６０が形成されている。凹部１６０には、第１円筒状部１１０の外周と第２円筒状部１２０の内周とを接続するリブ１６１が、周方向に複数設けられている。リブ１６１における軸方向の先端部は、第２円環状面１２１よりも、電動モータ５０とは反対側となるように設定されている。
【００２５】
第１円筒状部１１０には、軸方向に平行な内周面１１２が形成されている。この内周面１１２の内側に、電動モータ５０のブラケット５６の挿入部５６４が挿入される。そして、溝５６６に嵌め込まれたＯリング５６７が内周面１１２に接触して変形し、内周面１１２及びブラケット５６の挿入部５６４に接触することで、第２ハウジング３２とブラケット５６との間がシールされる。
【００２６】
以上のように構成されたステアリング装置１は、第１平面の一例としてのハウジング側接触面１５０（第３円環状面１３１、接続面１４１、第２円環状面１２１及び第１円環状面１１１）を有し、ラック軸３の一部を収容するハウジング３０を備えている。また、ステアリング装置１は、第２平面の一例としてのブラケット側接触面５６１を有し、回転軸の一例としての出力軸５１を支持するブラケット５６を備えている。また、ステアリング装置１は、ハウジング３０の第３円環状面１３１と、ブラケット５６のブラケット側接触面５６１とが合わせられた状態でハウジング３０とブラケット５６とを締め付ける締付部材の一例としてのボルト１５５を備えている。また、ステアリング装置１は、ボルト１５５よりも出力軸５１側でハウジング３０とブラケット５６との間をシールするシール部材の一例としてのＯリング５６７を備えている。
そして、上記ステアリング装置１において、ハウジング側接触面１５０には、ボルト１５５とＯリング５６７との間にハウジング側接触面１５０から凹んだ凹部１６０が形成されている。
【００２７】
以上のように構成されたステアリング装置１においては、ハウジング３０に、ハウジング側接触面１５０よりも凹んだ凹部１６０が形成されており、ブラケット側接触面５６１と凹部１６０との間の隙間が、ハウジング側接触面１５０とブラケット側接触面５６１との間の隙間よりも大きい。それゆえ、外部から、ブラケット側接触面５６１と第３円環状面１３１との間の隙間に浸入した水が、毛細管現象により、ハウジング３０の第１円筒状部１１０の内部の、第１円筒状部１１０の内周面１１２とブラケット５６の挿入部５６４の外周面５６５との間の隙間に入り込むことや、腐食生成物が進行することが抑制される。同様に、外部から、ブラケット側接触面５６１と第２円環状面１２１との間の隙間に浸入した水が、毛細管現象により、第１円筒状部１１０の内部の、第１円筒状部１１０の内周面１１２とブラケット５６の挿入部５６４の外周面５６５との間の隙間に入り込むことや、腐食生成物が進行することが抑制される。
【００２８】
このことについて、以下に比較例に係るハウジング側接触面１５１と比較しながら説明する。
図６は、比較例に係るハウジング側接触面１５１を軸方向に見た図である。
上述した実施の形態に係るハウジング側接触面１５０に対して、ボルト１５５とＯリング５６７との間にハウジング側接触面１５０から凹んだ凹部１６０が形成されておらず、第１円環状面１１１と第２円環状面１２１とが相互の境界がない同一平面となっている構成を、比較例に係るハウジング側接触面１５１とする。図６の網掛け部分が、ハウジング側接触面１５１である。比較例に係るハウジング側接触面１５１である場合には、この比較例に係るハウジング側接触面１５１と、電動モータ５０のブラケット５６のブラケット側接触面５６１との間の隙間が、ボルト１５５の周囲の第３円環状面１３１から第１円環状面１１１に至るまで略同一隙間である。この比較例に係るハウジング側接触面１５１とブラケット側接触面５６１とが接触した状態でボルト１５５がボス１３０に形成された雌ネジ１３５に締め付けられるため、両接触面は接触している。しかしながら、両接触面の表面粗さは０ではないため、微細な凹凸が生じている。そして、ハウジング側接触面１５１の表面の凹凸と、ブラケット側接触面５６１の表面の凹凸により、両接触面間に隙間が生じるおそれがある。両接触面間に隙間が生じている場合には、ハウジング３０及びブラケット５６の外部から、水が浸入し、毛細管現象により、両接触面間の隙間を介して、ハウジング３０の第１円筒状部１１０の内部まで水が到達するおそれがある。また、例えば塩水噴霧後に生成した腐食生成物がＯリング５６７によるシール部に到達し、ハウジング３０の第１円筒状部１１０の内部まで浸食するおそれがある。
【００２９】
これに対して、本実施の形態においては、ハウジング３０に凹部１６０が形成されており、ブラケット側接触面５６１と凹部１６０との間の隙間が、ハウジング側接触面１５０とブラケット側接触面５６１との間の隙間よりも大きいので、水が第１円環状面１１１まで到達し難くなる。その結果、ハウジング３０の内周面１１２と、ブラケット５６の外周面５６５との間の隙間に水が浸入したり腐食生成物が生成したりすることに起因して錆が進行することが抑制される。また、この錆により、ハウジング３０とブラケット５６との間をシールするＯリング５６７のシール性能が低下し、Ｏリング５６７とハウジング３０との間の隙間や、Ｏリング５６７とブラケット５６との間の隙間から、電動モータ５０の内部や、ハウジング３０の内部に、水が浸入することや腐食生成物がさらに進行することが抑制される。なお、ブラケット側接触面５６１と凹部１６０との間の隙間は、ハウジング側接触面１５０とブラケット側接触面５６１とが接触しているのに対して、接触していないことを最低条件とする。
【００３０】
また、本実施の形態においては、凹部１６０に、第１円筒状部１１０の外周と第２円筒状部１２０の内周とを接続するリブ１６１が、周方向に複数設けられている。それゆえ、ハウジング側接触面１５０から凹んだ凹部１６０を設けることに起因して、ブラケット５６の挿入部５６４が挿入される第１円筒状部１１０の剛性が低くなり過ぎることが抑制される。なお、リブ１６１における軸方向の先端部とブラケット側接触面５６１とは接触していないため、リブ１６１を設けたとしても、水は第１円環状面１１１まで浸入し難い。
【００３１】
なお、上述した実施形態においては、ボルト１５５にて締め付けられる際に合わせられる、ハウジング側接触面１５０とブラケット側接触面５６１との内、ハウジング側接触面１５０から凹んだ凹部１６０を形成しているが特にかかる態様に限定されない。例えば、凹部１６０に加えて、ブラケット５６にも、ブラケット側接触面５６１から凹んだ凹部を形成しても良い。また、ハウジング側接触面１５０から凹んだ凹部１６０を形成することなしに、ブラケット５６に、ブラケット側接触面５６１から凹んだ凹部を形成しても良い。これらの場合、ブラケット側接触面５６１から凹んだ凹部は、軸方向に見た場合には、凹部１６０が形成されている位置と同じ位置であることを例示することができる。
【００３２】
＜第２の実施形態＞
図７は、第２の実施形態に係るハウジング側接触面２５０を軸方向に見た図である。
第２の実施形態に係る第２ハウジング２３２の支持部２００は、第１の実施形態に係る第２ハウジング３２の支持部１００に対して、ハウジング側接触面１５０に相当する部位が異なる。以下、第２ハウジング３２の支持部１００と異なる点について説明する。第２ハウジング２３２の支持部２００と第２ハウジング３２の支持部１００とで、同じ形状、機能を有する部位については同じ符号を付し、その詳細な説明は省略する。
【００３３】
第２の実施形態に係る第２ハウジング２３２の支持部２００は、リブ１６１とは別に、凹部１６０に、第１円筒状部１１０の外周と第２円筒状部１２０の内周とを接続する円環接続部２４５を有している。円環接続部２４５における軸方向の先端部には、軸方向に直交する平面である円環接続面２４６が形成されている。
第２の実施形態に係る支持部２００においては、第１円環状面１１１、第２円環状面１２１、第３円環状面１３１、接続面１４１及び円環接続面２４６は、軸方向の位置が同一となるように機械加工が施されている。以下では、これら第１円環状面１１１、第２円環状面１２１、第３円環状面１３１、接続面１４１及び円環接続面２４６を、ブラケット５６のブラケット側接触面５６１と接触させる「ハウジング側接触面２５０」と称する場合がある。図７の網掛け部分が、ハウジング側接触面２５０である。
【００３４】
ハウジング側接触面２５０においては、円環接続面２４６を介して、第１円環状面１１１と第２円環状面１２１とが接続されている。それゆえ、円環接続面２４６と第１円環状面１１１とは、相互の境界がない同一平面である。また、円環接続面２４６と第２円環状面１２１とは、相互の境界がない同一平面である。
【００３５】
ただし、円環接続面２４６が設けられている箇所は、接続面１４１が設けられている箇所と、周方向の位相が異なる。それゆえ、接続面１４１は、雌ネジ１３５の中心とウォーム６２の回転軸心とを結ぶ直線上に設けられているが、円環接続面２４６は、この直線上に設けられていない。つまり、第３円環状面１３１、接続面１４１及び第２円環状面１２１は、直線的につながっているが、円環接続面２４６及び第１円環状面１１１とは直線的につながっていない。
それゆえ、ハウジング側接触面２５０には、ボルト１５５とＯリング５６７との間にハウジング側接触面２５０から凹んだ凹部１６０が形成されている。
【００３６】
この第２ハウジング２３２の支持部２００の構成においても、支持部２００に、ハウジング側接触面２５０よりも凹んだ凹部１６０が形成されており、ブラケット側接触面５６１と凹部１６０との間の隙間が、ハウジング側接触面２５０とブラケット側接触面５６１との間の隙間よりも大きい。それゆえ、外部から、ブラケット側接触面５６１と第３円環状面１３１との間の隙間に浸入した水が、毛細管現象により、ハウジング３０の第１円筒状部１１０の内部の、第１円筒状部１１０の内周面１１２とブラケット５６の挿入部５６４の外周面５６５との間の隙間に入り込むことや、腐食生成物が進行することが抑制される。その結果、ハウジング３０の内周面１１２と、ブラケット５６の外周面５６５との間の隙間に水が浸入したり腐食生成物が生成したりすることに起因して錆が進行することが抑制される。また、この錆により、ハウジング３０とブラケット５６との間をシールするＯリング５６７のシール性能が低下し、Ｏリング５６７とハウジング３０との間の隙間や、Ｏリング５６７とブラケット５６との間の隙間から、電動モータ５０の内部や、ハウジング３０の内部に、水が浸入することや腐食生成物がさらに進行することが抑制される。
【００３７】
また、第２の実施形態においては、凹部１６０に、リブ１６１に加えて、円環接続部２４５が設けられているので、第１円筒状部１１０の剛性が高められている。
なお、円環接続面２４６が設けられている箇所が、接続面１４１が設けられている箇所と周方向の位相が異なるのであれば、円環接続面２４６を複数設けても良い。
【００３８】
＜第３の実施形態＞
図８は、第３の実施形態に係る第２ハウジング３３２の断面図である。
第３の実施形態に係る第２ハウジング３３２の支持部３００は、第１の実施形態に係る第２ハウジング３２の支持部１００に対して、ハウジング側接触面１５０に相当する部位が異なる。以下、第２ハウジング３２の支持部１００と異なる点について説明する。第２ハウジング３３２の支持部３００と第２ハウジング３２の支持部１００とで、同じ形状、機能を有する部位については同じ符号を付し、その詳細な説明は省略する。
【００３９】
第２ハウジング３３２の支持部３００においては、第１円筒状部１１０における軸方向の先端部は、第２円環状面１２１、第３円環状面１３１及び接続面１４１における軸方向の位置よりも電動モータ５０とは反対側となるように構成されている。第１円筒状部１１０の先端部には、機械加工が施されていても良いし、機械加工が施されていなくても良い。
【００４０】
第３の実施形態に係る支持部３００においては、第２円環状面１２１、第３円環状面１３１及び接続面１４１が、ブラケット５６のブラケット側接触面５６１と接触させられるハウジング側接触面３５０となる。
この第３の実施形態に係る支持部３００においても、第２ハウジング３３２に、ブラケット側接触面５６１と凹部１６０との間の隙間が、ハウジング側接触面１５０とブラケット側接触面５６１との間の隙間よりも大きい。それゆえ、外部から、ブラケット側接触面５６１と第３円環状面１３１との間の隙間に浸入した水が、毛細管現象により、ハウジング３０の第１円筒状部１１０の内部の、第１円筒状部１１０の内周面１１２とブラケット５６の挿入部５６４の外周面５６５との間の隙間に入り込むことや腐食生成物が進行することが抑制される。その結果、ハウジング３０の内周面１１２と、ブラケット５６の外周面５６５との間の隙間に水が浸入したり腐食生成物を生成したりすることに起因して錆が進行することが抑制される。また、この錆により、ハウジング３０とブラケット５６との間をシールするＯリング５６７のシール性能が低下し、Ｏリング５６７とハウジング３０との間の隙間や、Ｏリング５６７とブラケット５６との間の隙間から、電動モータ５０の内部や、ハウジング３０の内部に、水が浸入することや腐食生成物がさらに進行することが抑制される。
【００４１】
また、第１円筒状部１１０における軸方向の先端部が、第２円環状面１２１、第３円環状面１３１及び接続面１４１（ハウジング側接触面３５０）における軸方向の位置と同一ではなく、電動モータ５０とは反対側に位置するので、第２円環状面１２１、第３円環状面１３１及び接続面１４１の領域に機械加工を施せば良い。それゆえ、第１の実施形態に係るハウジング側接触面１５０を機械加工にて形成するよりも、容易にハウジング側接触面３５０を機械加工にて形成することができる。
【００４２】
＜第４の実施形態＞
図９は、第４の実施形態に係る第２ハウジング４３２の断面図である。
第４の実施形態に係る第２ハウジング４３２の支持部４００は、第１の実施形態に係る第２ハウジング３２の支持部１００に対して、ハウジング側接触面１５０に相当する部位が異なる。以下、第２ハウジング３２の支持部１００と異なる点について説明する。第２ハウジング４３２の支持部４００と第２ハウジング３２の支持部１００とで、同じ形状、機能を有する部位については同じ符号を付し、その詳細な説明は省略する。
【００４３】
第２ハウジング４３２の支持部４００においては、第１円筒状部１１０における軸方向の先端部が、第２円環状面１２１、第３円環状面１３１及び接続面１４１における軸方向の位置よりも電動モータ５０側となるように構成されている。第１円筒状部１１０の先端部には、機械加工が施されていても良いし、機械加工が施されていなくても良い。
また、ブラケット５６の挿入部５６４の周囲は、第２ハウジング４３２の第１円筒状部１１０の先端部を受け入れることが可能なように凹んでいる。
【００４４】
第４の実施形態に係る支持部４００においては、第２円環状面１２１、第３円環状面１３１及び接続面１４１が、ブラケット５６のブラケット側接触面５６１と接触させられるハウジング側接触面４５０となる。
この第４の実施形態に係る支持部４００においても、第２ハウジング４３２に、ブラケット側接触面５６１と凹部１６０との間の隙間が、ハウジング側接触面４５０とブラケット側接触面５６１との間の隙間よりも大きい。それゆえ、外部から、ブラケット側接触面５６１と第３円環状面１３１との間の隙間に浸入した水が、毛細管現象により、ハウジング３０の第１円筒状部１１０の内部の、第１円筒状部１１０の内周面１１２とブラケット５６の挿入部５６４の外周面５６５との間の隙間に入り込むことや、腐食生成物が進行することが抑制される。加えて、第４の実施形態に係る支持部４００においては、第１円筒状部１１０における軸方向の先端部が、第２円環状面１２１、第３円環状面１３１及び接続面１４１（ハウジング側接触面４５０）における軸方向の位置よりも電動モータ５０側となるように構成されているので、たとえ、ハウジング３０及びブラケット５６の外部から、水が浸入し、両接触面間の隙間を介して、第１円筒状部１１０の近くまで水が到達したり腐食生成物が進行したりしたとしても、第１円筒状部１１０における軸方向の先端部を乗り越えて第１円筒状部１１０の内部に入り込むことが抑制される。その結果、ハウジング３０の内周面１１２と、ブラケット５６の外周面５６５との間の隙間に水が浸入したり腐食生成物が生成したりすることに起因して錆が進行することが抑制される。また、この錆により、ハウジング３０とブラケット５６との間をシールするＯリング５６７のシール性能が低下し、Ｏリング５６７とハウジング３０との間の隙間や、Ｏリング５６７とブラケット５６との間の隙間から、電動モータ５０の内部や、ハウジング３０の内部に、水が浸入したり腐食生成物がさらに進行したりすることが抑制される。
【００４５】
なお、上述した電動モータ５０においては、ブラケット５６が軸受５８を介して出力軸５１を直接的に支持しているが、特にかかる態様に限定されない。例えば、ブラケット５６に連結された物が軸受５８を保持し、この軸受５８を介して出力軸５１を間接的に支持しても良い。
また、電動モータ５０の構造は、図２に示した構造に限定されない。電動モータ５０は、上述したトルクセンサ（不図示）からの出力値を用いてこの電動モータ５０の制御量（例えば電流）を決定する制御部やインバータ等を一体的に有していても良い。
【符号の説明】
【００４６】
１…ステアリング装置、３…ラック軸、１０…伝達機構部、２０…アシスト部、３０…ハウジング、３２，２３２，３３２，４３２…第２ハウジング、５０…電動モータ、５６…ブラケット、１００，２００，３００，４００…支持部、１５０，２５０，３５０，４５０……ハウジング側接触面、５６１…ブラケット側接触面
【要約】
ステアリング装置は、第１平面を有し、ラック軸の一部を収容するハウジングと、第１平面と対向する第２平面を有し、回転軸を支持するブラケットを有する電動モータと、第１平面と第２平面とが合わせられた状態でハウジングとブラケットとを締め付ける締付部材と、締付部材よりも回転軸側でハウジングとブラケットとの間をシールするシール部材と、を備え、第１平面又は第２平面の少なくともいずれかの平面には、締付部材とシール部材との間に平面から凹んだ凹部が形成されている。【図１】
0006559916.tif 000002
【図２】
0006559916.tif 000003
【図３】
0006559916.tif 000004
【図４】
0006559916.tif 000005
【図５】
0006559916.tif 000006
【図６】
0006559916.tif 000007
【図７】
0006559916.tif 000008
【図８】
0006559916.tif 000009
【図９】
0006559916.tif 000010